(57)【要約】      （修正有）【課題】壁掛金具に電子機器を取り付ける際には電子機器の底面下から壁掛金具を確認しながらスライドさせて取り付けやすくした電子機器の壁掛構造を提供する。【解決手段】インターホン等の電子機器１を壁掛金具２を用いて室内に取り付けるにあたり、壁掛金具２には、電子機器１を引っ掛けて設置するための引っ掛けツメを有し、電子機器１には、引っ掛けツメにより係止するための底面から背面に延設して設けられる取付開口部１２を備えることにより、電子機器１を壁面に取り付けるとき壁掛金具２の下端が視認することを可能とする。【選択図】図３
2010080566.tif 000002
【特許請求の範囲】
【請求項１】
インターホン等の電子機器を壁掛金具を用いて室内に取り付けるにあたり、
前記壁掛金具には、前記電子機器を引っ掛けて設置するための引っ掛けツメを有し、
前記電子機器には、前記引っ掛けツメにより係止するための底面から背面に延設して設けられる取付開口部を備えることにより、前記電子機器を壁面に取り付けるとき前記壁掛金具の下端が視認することを可能とする電子機器の壁掛構造。
【請求項２】
前記電子機器は、電子部品により発生する熱を外部に放熱するための複数の放熱孔が底面に配置され、前記複数の放熱孔の両端の幅と前記壁掛金具の両端の幅とが略同一であり、電子機器を壁面に取り付ける際の位置決めとすることを特徴とする請求項１記載の電子機器の壁掛構造。
【請求項３】
前記電子機器は、前記壁掛金具の壁掛固定ツメを有し、
前記壁掛金具には、前記壁掛固定ツメが嵌合される嵌合孔を有し、
前記電子機器をスライドさせると、前記壁掛固定ツメが前記嵌合孔に嵌って前記電子機器底面側から上面側方向への力により壁掛状態が外れることを防止することを特徴とする請求項１又は請求項２記載の電子機器の壁掛構造。
【発明の詳細な説明】
【技術分野】
【０００１】
本発明は電子機器の壁掛構造に係り、特に、インターホン等の電子機器を壁掛金具を用いて壁に取付ける際、壁掛金具の引掛け部を機器の穴に的確に挿入できる電子機器の壁掛構造に関する。
【背景技術】
【０００２】
従来の電子機器の壁掛構造は、インターホン等の電子機器を壁掛金具を用いて壁に取付けるにあたり壁掛金具は電子機器を保持するための引掛け部を有し、電子機器には引掛け部を挿入する穴と、その下方向に穴へ続く凹部と、凹部の左右方向に引掛け部を凹部へ案内する溝とを設け、また、凹部の下側に壁掛金具を上方向に案内する溝を設ける。このような壁掛金具位置決め構造によれば、壁掛金具の引掛け部は電子機器の溝に案内されて凹部に至り、凹部をたどって穴に的確に挿入され機器は容易に壁に取付けられる。（例えば特許文献１）。
【特許文献１】特開２００３−１２４６４４号公報
【発明の開示】
【発明が解決しようとする課題】
【０００３】
しかしながら、従来例の電子機器の壁掛構造において、電子機器には引掛け部を挿入する穴の下方向に穴へ続く凹部と、凹部の左右方向に引掛け部を凹部へ案内する溝とを設け、更に、凹部の下側に壁掛金具を上方向に案内する溝を設けることで壁掛をおこなっているが、結局、上記凹部又は溝にたどり着くまでは、手探りの状態で探す必要があった。
また、壁掛金具は、電子機器の略中央に取り付けられるので取り付ける者は、壁掛金具と電子機器との位置関係を視覚的には把握することができず、取り付けにくいものであった。
【０００４】
本発明は、上述の難点を解消するためになされたもので、壁掛金具が電子機器の中央下段に取り付けられるようにして、その取り付けの際には電子機器の底面下から壁掛金具を確認しながらスライドさせて取り付けることにより、取り付ける者が壁掛金具と電子機器との位置関係を視覚的には把握することができ、取り付けやすくした電子機器の壁掛構造を提供することを目的としている。
【課題を解決するための手段】
【０００５】
上記課題を解決するために、請求項１に記載の発明は、インターホン等の電子機器を壁掛金具を用いて室内に取り付けるにあたり、壁掛金具には、電子機器を引っ掛けて設置するための引っ掛けツメを有し、電子機器には、引っ掛けツメにより係止するための底面から背面に延設して設けられる取付開口部を備えることにより、電子機器を壁面に取り付けるとき壁掛金具の下端が視認することを可能とする。
【０００６】
また、請求項２の発明は、請求項１において、電子機器は、電子部品により発生する熱を外部に放熱するための複数の放熱孔が底面に配置され、複数の放熱孔の両端の幅と壁掛金具の両端の幅とが略同一であり、電子機器を壁面に取り付ける際の位置決めとすることを特徴とする。
さらに、請求項３の発明は、請求項１又は請求項２の発明において、電子機器は、壁掛金具の壁掛固定ツメを有し、壁掛金具には、壁掛固定ツメが嵌合される嵌合孔を有し、電子機器をスライドさせると、壁掛固定ツメが嵌合孔に嵌って電子機器底面側から上面側方向への力により壁掛状態が外れることを防止することを特徴とする。
【発明の効果】
【０００７】
請求項１の発明によれば、電子機器を壁面に取り付けるとき壁掛金具の下端を見ながらおこなうことができるので壁掛金具の位置、特に左右の幅を確認することができるので取付しやすい。
また、請求項２の発明によれば、電子機器が壁掛金具に取り付けられる位置がより把握しやすい。
さらに、請求項３の発明によれば、電子機器が壁掛金具に取り付けられた後、電子機器底面側から上面側方向への力により壁掛状態が外れることを防止することができる。
【発明を実施するための最良の形態】
【０００８】
以下、本発明の集合住宅電子機器の壁掛構造を適用した最良の実施の形態例について、図面を参照して説明する。
図１は、本発明の実施例による電子機器の壁掛構造の分解斜視図であり、電子機器であるインターホン１と壁掛金具２とを有している。
【０００９】
壁掛金具２には、インターホン１を引っ掛けて設置するための４つの引っ掛けツメ２１、インターホン１が壁掛金具２に取り付けられた後に、インターホン底面側から上面側方向への力により壁掛状態が外れることを防止するため、後述するインターホン１の壁掛固定ツメが嵌合される壁掛固定片２２、壁掛金具２を壁面にビスで固定するためのビス孔２３から構成され、壁掛固定片２２は更に嵌合孔２２１を有している。
【００１０】
図２は、インターホン１と壁掛金具２とが取り付けられる前の側面側から見た斜視図である。図３は、インターホン１と壁掛金具２とが取り付けられる前の底面側から見た斜視図である。図４は、インターホン１と壁掛金具２とが取り付けられた後の側面側から見た斜視図である。図５は、インターホン１と壁掛金具２とが取り付けられた後の底面側から見た斜視図である。
【００１１】
図２、図３に示すように、インターホン１は、壁掛金具２の引っ掛けツメ２１が取り付けられる４つの引っ掛けツメ受け１１、引っ掛けツメにより係止するための底面から背面に延設して設けられる取付開口部１２、壁掛金具２の嵌合孔２２１に嵌合される壁掛固定ツメ１３、インターホン１が壁掛金具２に取り付けられた後に、インターホン底面側から上面側方向への力により壁掛状態が外れることを防止するため壁掛金具２をインターホン１背面側（壁に取り付けた状態における背面側を指す）に押し上げて摩擦力を高めるための押上げリブ１４、インターホン１の底面にはインターホン１の電子部品による熱を外部に放熱するために複数の放熱孔１５を有している。
【００１２】
なお、放熱孔１５の最左端と最右端の幅と壁掛金具２の幅とは略同一の幅Ｗとなっている。
このように構成された電子機器の壁掛構造について、以下、インターホンを壁掛金具にスライド固定する動作を説明する。
【００１３】
壁掛金具２を壁面に固定するにあたり、ビス孔２３（４箇所）にビスを用いる（詳述せず）。この状態で、インターホン１を壁掛金具２にスライド固定するため、取り付ける者は、インターホン１の底面にある放熱孔１５の最左端と最右端を確認して、壁掛金具２の幅にあわせる。この状態を背面側からみると図２、図３のようになっている。また、正面下側からみると図６のような状態となる。
【００１４】
ここで、インターホン１の取付開口部１２は、インターホン底面から背面に延設して設けられているので底面側から直接スライドさせることができるので作業しやすくなっている。また、この構造にすることにより、従来のようにインターホン１の略中央に壁掛金具２を取り付けず、インターホン１の下部に取り付けられることとなる。
【００１５】
このような状態において、インターホン１を下側にスライドすると、壁掛金具２の引っ掛けツメ２１とインターホン１の引っ掛けツメ受け１１、壁掛金具２の壁掛固定片における嵌合孔２２１とインターホン１の壁掛固定ツメ１３とがそれぞれ嵌合されて図４、図５の状態となる。なお、インターホン１の押上げリブ１４の作用により壁掛金具２がインターホン１の背面側に押し上げられるので摩擦力が高められインターホン底面側から上面側方向への力により壁掛状態が外れにくくすることができる。
【００１６】
なお、インターホン１をスライド固定するにあたり、インターホン１の壁掛固定ツメ１３はコの字上の成形ばねで構成され、壁掛金具２の壁掛固定片２２が当該壁掛固定ツメを抑圧すると成形ばねが一旦撓み、嵌合孔２２１に嵌合される。インターホン１を壁掛金具２から取り外すときも同様に壁掛金具２の嵌合孔２２１により抑圧されて成形ばねが撓んで取り外すことができる。
【図面の簡単な説明】
【００１７】
【図１】本発明に係る電子機器の壁掛構造の壁掛構造の分解斜視図。
【図２】本発明に係る電子機器の壁掛構造のインターホンと壁掛金具とが取り付けられる前の側面側から見た斜視図。
【図３】本発明に係る電子機器の壁掛構造のインターホンと壁掛金具とが取り付けられる前の底面側から見た斜視図。
【図４】本発明に係る電子機器の壁掛構造のインターホンと壁掛金具とが取り付けられた後の側面側から見た斜視図。
【図５】本発明に係る電子機器の壁掛構造のインターホンと壁掛金具とが取り付けられた後の底面側から見た斜視図。
【図６】本発明に係る電子機器の壁掛構造のインターホンと壁掛金具とが取り付けられる前の底面側から見た斜視図。
【符号の説明】
【００１８】
１・・・インターホン（電子機器）
１２・・・取付開口部
２・・・壁掛金具
２１・・・引っ掛けツメ
【図１】
2010080566.tif 000003
【図２】
2010080566.tif 000004
【図３】
2010080566.tif 000005
【図４】
2010080566.tif 000006
【図５】
2010080566.tif 000007
【図６】
2010080566.tif 000008